(57)【要約】【課題】  レベル検出に要する処理量を極力増やすことなく、レスポンス良く正しいレベルのレベル表示を行う。【解決手段】  ＩＭ１（ｉ）とＩＭ４（ｉ）のポイントのレベルを信号処理部１６によりレベル検出する。ＩＭ２（ｉ）のレベルを、ＣＰＵ１０が、検出されたＩＭ１（ｉ）のレベルに、Ａｔｔ４１のｃｈパラメータＡＬ（ｉ）を乗算して算出し、ＩＭ５（ｉ）のレベルを、ＣＰＵ１０が、検出されたＩＭ４（ｉ）のレベルに、Ｆａｄｅｒ４３のｃｈパラメータＦＬ（ｉ）を乗算して算出する。同様にして、ＣＰＵ１０は、ＳＭ１（ｉ，ｊ）およびＳＭ２（ｉ，ｊ）のポイントのセンドレベルを、ＩＭ２（ｉ）、ＩＭ４（ｉ）、ＩＭ５（ｉ）のいずれかのレベルに、ｃｈパラメータＳＯＮ（ｉ，ｊ）、ＳＬ（ｉ，ｊ）を選択的に反映させて算出する。【選択図】  図３
2016072656.tif 000002
【特許請求の範囲】
【請求項１】
信号経路における測定ポイントと、非測定ポイントとの間に設けられ、
音信号のレベルを制御可能な乗算手段と、
前記測定ポイントの音信号のレベルを検出するレベル検出手段と、
前記検出した音信号のレベルと前記乗算手段におけるレベル制御値とに基づいて、前記非測定ポイントの音信号のレベルを算出する演算手段と、
前記演算手段が算出した前記非測定ポイントのレベルをメータに表示するメータ表示手段とを備えたことを特徴とするレベルメータ表示装置。
【請求項２】
前記乗算手段が、連続的なレベル制御値に基づいて、音信号のレベル制御を行うことを特徴とする請求項１に記載のレベルメータ表示装置。
【請求項３】
前記乗算手段が、音信号の後段への供給または遮断を行うスイッチとして機能することを特徴とする請求項１に記載のレベルメータ表示装置。
【請求項４】
前記乗算手段が、入力チャンネルの１つの音信号を複数本のミキシングバスへ送出する際のセンド量をそれぞれ調整する前記ミキシングバスの数と同数のレベル調整手段を含み、前記非測定ポイントが、前記レベル調整手段の後側のポイントとされ、
前記演算手段は、該非測定ポイントの音信号のレベルを、前記検出した音信号のレベルと、前記各レベル調整手段のレベル制御値とに基づいて、前記レベル調整手段毎に算出することを特徴とする請求項２に記載のレベルメータ表示装置。
【請求項５】
前記演算手段は、ユーザにより指定された１本のミキシングバスへ、複数の入力チャンネルの各々から送られる前記非測定ポイントの音信号のレベルをそれぞれ算出し、
前記メータ表示手段は、算出された複数のレベルを、前記複数の入力チャンネルに対応する複数のメータに表示することを特徴とする請求項４に記載のレベルメータ表示装置。
【請求項６】
前記演算手段は、ユーザにより指定された１つの入力チャンネルから複数のミキシングバスの各々へ送られる前記非測定ポイントのセンドレベルをそれぞれ算出し、
前記メータ表示手段は、算出された複数のレベルを、前記複数本のミキシングバスに対応する複数のメータに表示することを特徴とする請求項４に記載のレベルメータ表示装置。
【発明の詳細な説明】
【技術分野】
【０００１】
この発明は、実測するポイントの数を増やすことなく経路上のポイントのレベルを表示することができるレベルメータ表示装置に関する。
【背景技術】
【０００２】
従来のデジタルミキサでは、入力チャンネルや出力チャンネルの経路に複数のポイントを設定し、このポイントのレベルをメータに表示することが知られている。この場合、入力経路のポイントのレベルは入力系メータに、出力経路のポイントのレベルは出力系メータに表示することが行われていた。
【０００３】
特許文献１には、時分割ＤＳＰ（Digital Signal Processor）で処理される各入力チャンネルの処理経路の所望のポイントにおける信号のレベルをサブＤＳＰで検出し、その検出されたレベルを、ＣＰＵ（Central Processing Unit）がサブＤＳＰから受け取って表示することが記載されている。この特許文献１には、ＤＳＰによるレベル検出処理をマイクロプログラムと専用のハードウェアとの協同で行ったり、専用のハードウェアを用いずに、マイクロプログラムだけで実現したりすることが記載されている。
また、特許文献２には、各入力チャンネルにおける信号のレベルの検出は行わず、ＣＰＵが、レベルを表示したいメータポイントの仮想的な信号のレベル値を算出し、そのレベル値に基づいてレベル表示を制御することが記載されている。
【先行技術文献】
【特許文献】
【０００４】
【特許文献１】特開２００８−１６４９０１号公報
【特許文献２】特開２００７−２４３６７０号公報
【発明の概要】
【発明が解決しようとする課題】
【０００５】
デジタルミキサにおいては、信号処理経路中のより多くのポイントの信号をメータに表示したいという要求がある。例えば、音信号のミキシングバスへのセンド量を、各入力チャンネルないし各ミキシングバスごとに調整する際には、入力チャンネルからミキシングバスへ送る信号のレベルがメータに表示されると便利である。より具体的には、ユーザが１つの入力チャンネルを指定し、その指定された１つの入力チャンネルから複数のミキシングバスの各々へ送られる信号のレベルを並べて表示したり、ユーザが１つのミキシングバスを指定し、指定された１つのミキシングバスへ複数の入力チャンネルの各々から送られる信号のレベルを並べて表示したりできると良い。さらに、ユーザが、別の入力チャンネルやミキシングバスを指定する等、メータに表示すべき信号のポイントを変更した場合には、その変更から遅れることなくただちに、その新たに指定されたポイントの正確なレベルをメータに表示することが要求される。
【０００６】
特許文献１記載の従来技術では、複数のポイントＩＭ１〜ＩＭ５のうちの所望のポイントの信号を選択して、その信号を時分割ＤＳＰ１０６からサブＤＳＰ１０７に渡し、サブＤＳＰ１０７にてその信号のレベル検出処理を行っている。そこで、ユーザが指定するポイントを変更した際には、それに応じてサブＤＳＰ１０７に渡す信号を変えれば、新たなポイントのメータ表示ができる。しかしながら、その場合、ＤＳＰ１０７のレベル検出処理が、アタックレート及びリリースレートの時定数を有しているので、変更後のポイントの信号の正確なレベルが表示されるまでには、最低でも、その時定数相当分の時間を要する。つまり、この方式では、ユーザによる指定ポイントの変更に対するメータ表示のレスポンスには時定数相当分の時間を要することとなる。
従って、特許文献１記載の従来技術において、レスポンス良くレベル表示を切り替えるためには、サブＤＳＰに、ユーザにより指定される可能性のある全てのポイントの信号のレベル検出を予め行わせておき、ユーザの指定に応じて、検出済みの複数のポイントのレベルの中から、メータに表示するレベルを選択する、と云う方式を採用する必要がある。ここに、サブＤＳＰが、膨大な量のレベル検出処理を行わなければならないと云う問題点が生じる。例えば、各入力チャンネル毎に、指定可能なポイントとして、そのチャンネルの主経路中の４つのポイントと、そのチャンネルから１２本のミキシングバスに信号を送る１２のポイントとの計１６ポイントを設け、入力チャンネルの数が２４あるとすると、合計３８４ポイントのレベル検出を行わなければならないことになる。
また、特許文献２の従来技術においては、各入力チャンネルに設けられた複数のポイントのレベルが表示されるが、このレベルは、実際の信号を測定したレベルではなく、実際には存在しない疑似的な信号を仮定して算出したレベルである。この従来技術は、リモート制御アプリによるオフライン編集で、信号のルーティングを確認することを目的としているため、算出されるレベルは概算で良く、実際の信号のレベルと合致する必要がない。特に、実際の信号では、イコライザやコンプレッサ等の処理においても信号のレベルが変化するが、この従来技術においてはこういった点が考慮されていなかった。
【０００７】
そこで、本発明は、レベル検出に要する処理量を極力増やすことなく、レスポンス良く正しいレベルのレベル表示を行えるレベルメータ表示装置を提供することを目的としている。
【課題を解決するための手段】
【０００８】
上記目的を達成するために、本発明のレベルメータ表示装置は、信号経路における測定ポイントと、非測定ポイントとの間に設けられ、音信号のレベルを制御可能な乗算手段と、前記測定ポイントの音信号のレベルを検出するレベル検出手段と、前記検出した音信号のレベルと前記乗算手段におけるレベル制御値とに基づいて、前記非測定ポイントの音信号のレベルを算出する演算手段と、前記演算手段が算出した前記非測定ポイントのレベルをメータに表示するメータ表示手段とを備えたことを最も主要な特徴としている。
【発明の効果】
【０００９】
本発明のレベルメータ表示装置では、検出した測定ポイントのレベルと、乗算手段におけるレベル制御値とに基づいて、非測定ポイントのレベルを算出するようにしたことから、レベルメータ表示に要する処理量を極力増やすことなく、レスポンス良く正しいレベルのレベル表示を行うことができるようになる。
【図面の簡単な説明】
【００１０】
【図１】本発明の実施例のレベルメータ表示装置を備えるデジタルミキサの構成を示す機能ブロック図である。
【図２】本発明の実施例のレベルメータ表示装置を備えるデジタルミキサの信号処理の流れを示す構成を示す機能ブロック図である。
【図３】本発明の実施例のレベルメータ表示装置を備えるデジタルミキサにおけるレベルメータ表示にかかる構成を示す図である。
【図４】本発明の実施例のレベルメータ表示装置を備えるデジタルミキサにおけるＣＰＵが実行する表示更新処理のフローチャートである。
【図５】図４に示す表示更新処理における入力ｃｈメータ表示更新処理の詳細を示すフローチャートである。
【図６】図５に示す入力ｃｈメータ表示更新処理におけるIMP(=IM4)に応じた入力ｃｈメータの表示制御処理の詳細を示すフローチャートである。
【図７】図５に示す入力ｃｈメータ表示更新処理におけるIMP(=IM5)に応じた入力ｃｈメータの表示制御処理の詳細を示すフローチャートである。
【図８】図５に示す入力ｃｈメータ表示更新処理におけるSMP(=SM1,SM2)に応じた入力ｃｈメータの表示制御処理の詳細を示すフローチャートである。
【図９】本発明の実施例のレベルメータ表示装置を備えるデジタルミキサにおける入力ｃｈメータの構成の一例を示す図である。
【発明を実施するための形態】
【００１１】
本発明の実施例のレベルメータ表示装置を備えるデジタルミキサの構成を示すブロック図を図１に示す。
図１に示すデジタルミキサ１は、ＣＰＵ（Central Processing Unit）１０，ＲＯＭ（Read Only Memory）１１，ＲＡＭ（Random Access Memory）１２，操作子１３，表示器１４，波形入力部１５，信号処理部（ＤＳＰ）１６，波形出力部１７を備え、これらがバスライン１８によって接続されている。そして、デジタルミキサ１は、複数の入力チャンネル（以下、「チャンネル」を「ｃｈ」と表記する）から入力する音響信号に対して種々の信号処理を施して複数の出力ｃｈから出力する機能を有する。
ＣＰＵ１０は、デジタルミキサ１の動作を統括制御する制御手段であり、ＲＯＭ１１に記憶された所要のプログラムを実行することにより、波形入力部１５及び波形出力部１７における入出力処理、表示器１４における表示処理、信号処理部１６における信号処理およびレベル検出処理の制御や、操作子１３の操作を検出してその操作に従ってパラメータの値の設定／変更や各部の動作を制御するなどの処理を行う。
ＲＯＭ１１には、ＣＰＵ１０が実行する動作ソフトウェアが格納されている。また、ＲＡＭ１２には、データを一時的に記憶するワークメモリ領域が設定されており、ＣＰＵ１０のワークメモリとして使用することができる記憶手段である。ＲＯＭ１１やＲＡＭ１２は独立した記憶手段とした構成の他、フラッシュメモリ等により一部をＲＯＭ領域とし他部をＲＡＭ領域として用いる等種々の構成を採用することができる。
操作子１３は、デジタルミキサ１に対するユーザの操作を受け付けるためのものであり、種々のキー、ボタン、ダイヤル、スライダ、マウス、ホイール、トラックボール、あるいはタッチパネル等によって構成される。例えば、１つのチャンネルのパラメータを制御する操作子として、回転ノブ、ボタン、フェーダ等を備えた複数のｃｈストリップを、例えば１２チャンネル分備えていてもよい。１２のｃｈストリップには、ユーザにより選択された後述する１つのレイヤーに属する１２チャンネルが、制御対象として割り当てられるとよい。
表示器１４は、ＣＰＵ１０による制御に従って種々の情報を表示する表示手段であり、例えば液晶パネル（ＬＣＤ）等によって構成することができる。そして、パラメータの値の参照や設定の受付はＧＵＩ（Graphical User Interface）により行うことが多いことから、表示器１４はＧＵＩを表示できる大きさとされている。また、入力ｃｈや出力ｃｈのメータリングポイントのレベルを表示するレベルメータを、表示器１４に表示してもよい。
【００１２】
波形入力部１５は、外部からアナログまたはディジタルの複数ｃｈの音響信号を入力して、対応する複数ｃｈのディジタル音響信号を信号処理部１６に供給する。波形出力部１７は、信号処理部１６から供給される複数ｃｈのディジタル音響信号を、ディジタル音響信号のまま、あるいは、アナログ音響信号に変換して外部へ出力する。
信号処理部１６は１乃至複数のＤＳＰ（Digital Signal Processor）から構成され、ＣＰＵ１０により設定されたマイクロプログラムを実行することにより、波形入力部１５から入力される音響信号に対し、ＣＰＵ１０により設定された各種制御データの値に従って、イコライジング、ミキシング等の各種信号処理を施して波形出力部１７に出力する信号処理部である。ＲＡＭ１２には信号処理部１５が信号処理を行うための各種パラメータを記憶するカレントメモリ領域が用意されており、ＣＰＵ１２は、カレントメモリ領域の各種パラメータに基づいて、信号処理部１６に各種制御データを設定する。この信号処理に加えて、信号処理部１６は、メータリングポイントのレベルを検出する処理を行う。ここで検出したレベルを、ＣＰＵ１０が読み出して表示更新処理を行うことにより、レベルメータには、表示更新されたメータリングポイントのレベルが表示される。
【００１３】
次に、実施例のレベルメータ表示装置を備えるデジタルミキサ１における信号処理の流れを示す機能ブロック図を図２に示す。
図２において、複数のアナログ入力ポート（Ａ入力）２０に入力されたアナログの音信号は、波形入力部１５に内蔵されているＡＤ変換器によりディジタルの音信号に変換されて入力パッチ２２に入力される。また、複数のディジタル入力ポート（Ｄ入力）２１に入力されたディジタルの音信号は、そのまま入力パッチ２２に入力される。入力パッチ２２では、音響信号の入力元である複数の入力ポートのそれぞれを、例えば２４ｃｈとされる入力ｃｈ部２３の各入力チャンネルに選択的にパッチ（結線）することができ、各入力チャンネルには、入力パッチ２２でパッチされた入力ポートからの音信号が供給される。なお、Ａ入力２０とＤ入力２１のいずれか一方のみを備えた構成であってよい。
【００１４】
入力ｃｈ部２３は入力ｃｈを２４ｃｈ有し、各入力ｃｈには、アッテネータ、イコライザ、ダイナミクス、フェーダ、ｃｈスイッチ、パン、セレクタ、センドスイッチ、センドフェーダ等が備えられており、これらの入力ｃｈにおいて、供給される音信号に対し、周波数バランスやレベル制御およびステレオ(ＳＴ)バス２４およびミキシング（ＭＩＸ）バス２５への送出のオン／オフやレベルが制御される。入力ｃｈ部２３から出力される２４ｃｈの音信号は、ＭＩＸ１−１２の１２本のＭＩＸバス２５の１ないし複数やＳＴバス２４に選択的に出力される。ＳＴバス２４においては、Ｌ，Ｒのバスにおいて２４入力ｃｈのうちの任意の入力ｃｈから選択的に入力された１ないし複数の音信号がステレオ構成の音信号がミキシングされて、ミキシングされたステレオ構成の音信号がＳＴ出力ｃｈ部２６に出力される。なお、ステレオ構成の音信号にかかる構成は破線で示している。ＭＩＸバス２５においては、１２本の各バスにおいて、２４入力ｃｈのうちの任意の入力ｃｈから選択的に入力された１ないし複数の音信号がミキシングされてＭＩＸ出力ｃｈ部２７に出力される。ＭＩＸ出力ｃｈ部２７は１２本の各ＭＩＸバスに対応する１２ｃｈのＭＩＸ出力ｃｈを有する。以下１２本のＭＩＸバスのうち特定のバスを示す場合には記号「ｊ」（ｊは整数１〜１２の何れか）を用いる。
【００１５】
ＳＴ出力ｃｈ部２６およびＭＩＸ出力ｃｈ部２７の各出力ｃｈでは、それぞれ対応するバスからの音信号に対して、イコライジングやレベル制御などの所望の信号処理が行われて、処理済みの音信号が出力パッチ２８に出力される。出力パッチ２８では、ＳＴ出力ｃｈ部２６からのステレオ構成の音信号およびＭＩＸ出力ｃｈ部２７からの１２ｃｈの音信号の何れかを、アナログ出力ポート部（Ａ出力）２９やディジタル出力ポート部（Ｄ出力）３０の各出力ポートに選択的にパッチ（結線）することができ、各出力ポートには、出力パッチ２８でパッチされた出力ｃｈからの音信号が供給される。
アナログ出力ポート部（Ａ出力）２９の各出力ポートへ供給されたディジタルの音信号は、波形出力部１７に内蔵されているＤＡ変換器によりアナログの音信号に変換されてアナログ出力ポートから出力される。この出力されるアナログの音信号は、増幅されてメインのスピーカから放音されたり、出演者が耳に装着するインイヤーモニタに供給されたり、その出演者の近傍に置かれたステージモニタスピーカで再生される。また、ディジタル出力ポート部（Ｄ出力）３０の各出力ポートから出力されるディジタルの音信号は、レコーダや外部接続されたＤＡＴ等に供給されてディジタル録音することができるようにされている。なお、Ａ出力２９とＤ出力３０のいずれか一方のみを備えた構成であってよい。
【００１６】
本発明の実施例のレベルメータ表示装置２を備えるデジタルミキサ１におけるレベルメータ表示にかかる構成を図３に示す。
図３には、入力ｃｈ（ｉ）の構成、および、入力ｃｈ（ｉ）のメータリングポイントＩＭ１，ＩＭ２，ＩＭ４，ＩＭ５，ＳＭ１，ＳＭ２と、信号処理部１６とＣＰＵ１０の協同により表示器１４にレベルメータを表示するレベルメータ表示装置２が示されている。なお、２４ｃｈの各入力ｃｈの構成は同じ構成とされており、各入力ｃｈにおいて上記したメータリングポイントが同様に設けられている。以下、入力ｃｈ（ｉ）のメータリングポイントを示す場合にはＩＭ１（ｉ），ＩＭ２（ｉ），ＩＭ４（ｉ），ＩＭ５（ｉ），ＳＭ１（ｉ，ｊ），ＳＭ２（ｉ，ｊ）と表記する。ここで、「ｉ」はｉ番の入力ｃｈ（ｃｈ番号ｉ）を示しており、「ｊ」はＭＩＸバス２５の内のｊ番のＭＩＸバス（バス番号ｊ）を示している。入力ｃｈ（ｉ）は、アッテネータ（Ａｔｔ）４１、イコライザおよびダイナミクス（ＥＱ，Ｄｙｎａ）４２、フェーダ（Ｆａｄｅｒ）４３、ｃｈスイッチ（ＣＨＳＷ）４４、パンニング調節器（ＰＡＮ）４５、ＳＳＥＬ１〜ＳＳＥＬ１２の１２個のセンドセレクタ（ＳＳＥＬ）、ＳＳＷ１〜ＳＳＷ１２の１２個のセンドスイッチ（ＳＳＷ）、ＳＦ１〜ＳＦ１２の１２個のセンドフェーダ（ＳＦ）を備える。また、入力ｃｈ（ｉ）を含む全ての入力ｃｈにかかる信号処理は信号処理部１６のＤＳＰが行っている。
【００１７】
Ａｔｔ４１は、入力パッチ２２より入力ｃｈ（ｉ）に供給された音信号に、設定されたｃｈパラメータＡＬ（ｉ）に応じたレベル制御を行う。ＥＱ，Ｄｙｎａ４２におけるＥＱは、Ａｔｔ４１からの音信号に、設定されたｃｈパラメータＥＰＳ（ｉ）に応じた周波数特性の調整を施し、Ｄｙｎａは設定されたｃｈパラメータＤＰＳ（ｉ）に応じた自動ゲイン調整を行う。Ｆａｄｅｒ４３は、設定されたｃｈパラメータであるゲイン値ＦＬ（ｉ）に応じて、ＥＱ，Ｄｙｎａ４２からの音信号のレベルを調整する処理を行う。デジタルミキサ１では、パネル上の操作子１３として複数のｃｈストリップを備えており、入力ｃｈ（ｉ）に割り当てたｃｈストリップのフェーダの操作に応じてＦＬ（ｉ）の値を変えることで当該入力ｃｈの音信号のレベル調整が行えるようになっている。ＣＨＳＷ４４は、設定されたｃｈパラメータＯＮ（ｉ）に応じて、Ｆａｄｅｒ４３からの音信号の後段への出力をオン（＝供給）／オフ（＝遮断）するスイッチであり、同ｃｈストリップのボタン操作でオンオフできる。ＰＡＮ４５は、設定されたｃｈパラメータＰＡＮ（ｉ）に応じて、音信号の音像定位を調節する調節器であり、ＰＡＮ４５から出力されるＬ，Ｒ構成の音信号はＳＴバス２４に供給される。なお、ステレオ構成の音信号にかかる構成は細かい破線で示している。
【００１８】
ＭＩＸバス２５の１２本の各バスに対応して設けられたＳＳＥＬ１〜ＳＳＥＬ１２は、当該入力ｃｈ（ｉ）の音信号をｊ番（ｊは整数１〜１２の何れか）のＭＩＸバス２５に出力するに際し、設定されたｃｈパラメータＳＳ（ｉ，ｊ）に応じてプリイコライザ（ｃｈ出力をＥＱ，Ｄｙｎａ４２の前側から取り出す）の音信号と、プリフェーダ（ｃｈ出力をＦａｄｅｒ４３の前側から取り出す）の音信号とポストフェーダ（ｃｈ出力をＦａｄｅｒ４３の後側から取り出す）の音信号のいずれかをバス毎に選択するセレクタである。ＭＩＸバス２５の各バスに対応して設けられたＳＳＷ１〜ＳＳＷ１２は、設定されたｃｈパラメータＳＯＮ（ｉ，ｊ）に応じて、ＳＳＥＬｊからの音信号のｊ番のＭＩＸバス２５への送出のオン（＝供給）／オフ（＝遮断）を行うスイッチである。ＭＩＸバス２５の各バスに対応して設けられたＳＦ１〜ＳＦ１２は、設定されたｃｈパラメータＳＬ（ｉ，ｊ）に応じて、ＳＳＷｊからｊ番のＭＩＸバス２５へ送出する音信号のレベルを調整するフェーダであり、ＳＦ１〜ＳＦ１２からの出力がそれぞれ１２本のＭＩＸバス２５の各バスに供給される。上記したＣＨＳＷ４４，ＳＳＷの各パラメータは、入力ｃｈ（ｉ）に割り当てたｃｈストリップのボタン操作でオンオフできる。また、入力ｃｈ（ｉ）におけるＳＳＥＬｊ、ＳＦｊの各パラメータも、同ｃｈストリップの回転ノブの操作で変更できる。なお、パネル上に設けられた操作子１３に割り当てる代わりに、表示器１４にロータリエンコーダや各種スイッチを表示し、画面上のこれらの操作子をマウスやタッチパッドにより（あるいは直接タッチパネル上で）操作してもよい。上記した各ｃｈパラメータの現在値は入力ｃｈ毎に、ＲＡＭ１２に設定されたカレントメモリ領域に保持され、ＣＰＵ１０は、それら現在値に基づいて、信号処理部１６における各種信号処理を制御する。
【００１９】
デジタルミキサ１が備える本発明に係るレベルメータ表示装置２は、図３に示すように信号処理部１６とＣＰＵ１０の協同により実現されている。このレベルメータ表示装置２では、入力ｃｈに設定された複数のメータリングポイントの内の１つのポイントをユーザが指定すると、この指定したポイントのレベルを、入力ｃｈメータに入力ｃｈ毎に表示することができる。
図３では、入力ｃｈ（ｉ）の信号経路上には、メータリングポイントとしてＩＭ１（ｉ），ＩＭ２（ｉ），ＩＭ４（ｉ），ＩＭ５（ｉ），ＳＭ１（ｉ，ｊ），ＳＭ２（ｉ，ｊ）が用意されている。例えば、ＭＩＸバス２５の本数が１２本で、入力ｃｈ（ｉ）に、ＩＭ１，ＩＭ２，ＩＭ４，ＩＭ５の４ポイントと、ＳＭ１の１２ポイントと、ＳＭ２の１２ポイントとの合計２８ポイントが用意される場合を想定する。この場合、本発明に係るレベルメータ表示装置２では、入力ｃｈ（ｉ）の全２８あるメータリングポイントの内のＩＭ１（ｉ）とＩＭ４（ｉ）の２ポイントのレベルだけを信号処理部１６においてレベル検出する。そして、レベル検出されたＩＭ１（ｉ）とＩＭ４（ｉ）のレベルと、所定のｃｈパラメータとに基づいて、ＣＰＵ１０がＩＭ２（ｉ），ＩＭ５（ｉ），ＳＭ１（ｉ，ｊ），ＳＭ２（ｉ，ｊ）のレベルを算出している。ここでは、入力ｃｈ（ｉ）のメータリングポイントの内のＩＭ１（ｉ），ＩＭ４（ｉ）を測定ポイントと云い、ＩＭ２（ｉ），ＩＭ５（ｉ），ＳＭ１（ｉ，ｊ），ＳＭ２（ｉ，ｊ）を非測定ポイントと云う。なお、後述する各種処理のフローチャートでは、全ての入力ｃｈの測定ポイントＩＭ１（ｉ）およびＩＭ４（ｉ）の音信号のレベルを一旦ワークメモリ領域に取り込むようになっているが、その際の書き込まれたレベルを示す記号として、同じ「ＩＭ１（ｉ）」および「ＩＭ４（ｉ）」を用いている。また、図３では測定ポイントを実線で示し、非測定ポイントを粗い破線で示している。
【００２０】
具体的に説明すると、Ａｔｔ４１の入力側の測定ポイントＩＭ１（ｉ）のレベルは入力パッチ２２からの音信号のレベルであることから実測する必要があり、ＥＱ，Ｄｙｎａ４２では非線形処理が行われることから、その出力側の測定ポイントＩＭ４（ｉ）のレベルは非線形処理後の音の信号のレベルを実測する必要がある。そこで、信号処理部１６にて、ＩＭ１（ｉ），ＩＭ４（ｉ）のレベル検出（実測）の処理を行い、検出したレベルをＣＰＵ１０に提供する。また、Ａｔｔ４１，Ｆａｄｅｒ４３，ＳＦ１〜ＳＦ１２は音信号のレベルを調整する手段であるが、具体的には、デシベルスケールのｃｈパラメータＡＬ（ｉ），ＦＬ（ｉ），ＳＬ（ｉ，ｊ）を音信号に乗算する乗算手段であり、また、ＣＨＳＷ４４およびＳＳＷ１〜ＳＳＷ１２は音信号を通過／遮断する手段であるが、「０」（オフ）か「１」（オン）のｃｈパラメータＯＮ（ｉ），ＳＯＮ（ｉ，ｊ）を、リニアスケールで乗算する乗算手段（デシベルスケールなら「０ｄＢ」（オン）、「−∞ｄＢ」（オフ）を乗算する乗算手段）と見なせることから、ＣＰＵ１０が実行する入力系メータ表示制御処理において、信号処理部１６から提供されたＩＭ１（ｉ）あるいはＩＭ４（ｉ）のレベルと、当該非測定ポイントまでの経路に設けられている上記乗算手段のｃｈパラメータとに基づいて、非測定ポイントＩＭ２（ｉ），ＩＭ５（ｉ），ＳＭ１（ｉ，ｊ），ＳＭ２（ｉ，ｊ）の音信号のレベルを、演算により算出することができる。また、音信号の経路を切り替えるセレクタ（ＳＳＥＬ１〜ＳＳＥＬ１２）が経路にある場合は、そのｃｈパラメータ（ＳＳ（ｉ，ｊ））に応じて、そのセレクタの選択肢である複数ポイント（プリイコライザ、プリフェーダ、ポストフェーダ）の音信号のレベルのいずれかを選択する演算処理を行えば良い。これらの演算を、入力ｃｈメータで表示するよう選択された非測定ポイントについてのみ行うようにすると、ＣＰＵ１０が行う演算量を低減することができる。
なお、本明細書においては、Ａｔｔ４１，Ｆａｄｅｒ４３，ＳＦ１〜ＳＦ１２やＣＨＳＷ４４およびＳＳＷ１〜ＳＳＷ１２のように、関連するパラメータが一定であれば、音信号の特性に関係なく音信号に一定のレベル変化を付与するものを乗算手段と呼ぶ。また、ＥＱ，Ｄｙｎａ４２のように、関連するパラメータが一定であっても、音信号の特性に応じて音信号に異なるレベル変化を付与するものを非乗算手段と呼ぶ。非乗算手段における音信号のレベル変化はパラメータによっては定まらないため、例えば測定ポイントＩＭ４のように非乗算手段の端部におけるレベルは実測する必要がある。
【００２１】
ところで、信号処理部１６で行うレベル検出の処理では、測定ポイントから取り出された音信号の絶対値の対数をとり、その値を定期的にピークホールドし、さらに、そのホールドされた値に対して立ち上がり速度が速く、立ち下がり速度が遅いフィルタ処理を施すことにより、測定ポイントの音信号のデシベルスケールでのレベルを検出している。ここでは、操作性の観点から、ユーザが表示したいポイントを指定した場合に、ただちに指定されたポイントのレベルをメータに表示することが求められている。従来のデジタルミキサでこの要求に応えるとすれば、信号処理部１６が全てのメータリングポイントのレベルをレベル検出することになる。その場合、１入力ｃｈについてＩＭ１〜ＩＭ５の４ポイントと、ＳＭ１の１２ポイントとＳＭ２の１２ポイントの合計２８ポイント、２４入力ｃｈでは６７２ポイントものレベル検出処理を常時行うことになり、上記したレベル検出処理にかかる信号処理部１６の処理負担がきわめて重くなる。そこで、本発明に係るレベルメータ表示装置２においては、１入力ｃｈについてＩＭ１とＩＭ４の２つの測定ポイントのレベルを信号処理部１６でレベル検出し、非測定ポイントのレベルはＣＰＵ１０が演算により算出するようにしている。これにより、信号処理部１６でレベル検出するポイント数は、２４入力ｃｈでも４８ポイントとなり、上記したレベル検出処理と比較すると、信号処理部１６の処理負担がかなり軽いものとなる。さらに、非測定ポイントのレベルはＣＰＵ１０により演算により算出されるが、この演算処理にかかるＣＰＵ１０の処理負担は微々たるものである。これにより、本発明に係るレベルメータ表示装置２は、レベルメータ表示に要する処理量を極力増やすことなく、メータに表示すべき信号のポイントを変更した場合でもレスポンス良く正しいレベルのレベル表示を行うことができるようになる。
【００２２】
入力ｃｈメータの構成の一例を図９に示す。ここでは、この構成の入力ｃｈメータを表示器１４に画像として表示するものとする。なお、入力ｃｈメータの構成を発光ダイオード（ＬＥＤ）等を使用した物理的なメータで構成してデジタルミキサ１のパネルに設けるようにしてもよい。
図９に示す入力ｃｈメータでは、メータに表示する対象としてメインメータ（MAIN METER）とセンドメータ（SEND METER）の内のいずれかを、ユーザが選択するようにされている。図９では、メインメータが選択されて黒太枠で選択されたことが表示されている。メインメータが選択されると、測定ポイントＩＭ１である「PRE ATT」、非測定ポイントＩＭ２である「PRE EQ」、測定ポイントＩＭ４である「PRE FADER」、非測定ポイントＩＭ５である「POST ON」のいずれか１つをユーザが選択することができる。図９では、測定ポイントＩＭ４である「PRE FADER」が選択されて黒太枠で選択されたことが表示され、入力ｃｈ１〜入力ｃｈ１２の測定ポイントＩＭ４の各レベルが、それぞれ入力ｃｈ毎に入力ｃｈメータに表示されている。このデジタルミキサでは、２４入力ｃｈが、「ｃｈ１〜ｃｈ１２」の第１レイヤーと「ｃｈ１３〜ｃｈ２４」の第２レイヤーとに分けられており、入力ｃｈメータには、ユーザにより選択されたレイヤーの１２入力ｃｈ分のレベルが、１２本のレベルメータに表示される。図９では、ユーザにより第１レイヤーの「ｃｈ１〜ｃｈ１２」が選択されて、対応するボタンの画像が黒太枠で表示されており、「ｃｈ１」〜「ｃｈ１２」のｃｈ番号が各レベルメータの下に表示され、「ｃｈ１〜ｃｈ１２」の測定ポイントＩＭ４の各レベルが、各入力ｃｈに対応するレベルメータに表示されている。ここで、ユーザが「ｃｈ１３〜ｃｈ２４」の第２レイヤーを選択すると、「ｃｈ１３」〜「ｃｈ２４」のｃｈ番号が各レベルメータの下に表示され、入力ｃｈ１３〜入力ｃｈ２４の測定ポイントＩＭ４のレベルが、各入力ｃｈに対応するレベルメータに表示される。なお、入力ｃｈメータのレイヤー選択を、先述したｃｈストリップにおけるレイヤー選択に連動させるようにしてもよい。なお、詳細な説明は省略するが、レイヤー選択は例えば操作子１３のうち所定のレイヤー選択ボタンをユーザが操作することによりなされる。
また、ユーザが「PRE ATT」を選択した場合は測定ポイントＩＭ１のレベルが、「PRE EQ」を選択した場合は非測定ポイントＩＭ２のレベルが、「POST ON」を選択した場合は非測定ポイントＩＭ５のレベルが、ユーザが選択した入力ｃｈのレイヤーに属する１２ｃｈの入力ｃｈ毎に、それぞれ対応するレベルメータに表示される。このように、メインメータが選択されると、ＩＭ１，ＩＭ２，ＩＭ４，ＩＭ５のうちのユーザが指定したポイントのレベルが、ユーザが選択したレイヤーに属する１２ｃｈ分、それぞれ対応するレベルメータに表示されるようになる。
【００２３】
また、ユーザがセンドメータ（SEND METER）を選択すると、非測定ポイントＳＭ１である「PRE SEND」か、非測定ポイントＳＭ２である「POST SEND」のどちらかを選択することができる。ユーザがセンドメータ（SEND METER）を選択して、非測定ポイントＳＭ１である「PRE SEND」を選択すると、１２の入力ｃｈから１つのＭＩＸバス２５に送られるセンドフェーダＳＦの前側の非測定ポイントＳＭ１の音信号のレベルが入力ｃｈメータに表示されるようになる。ここでは、所望の１本のＭＩＸバスが予めユーザにより指定されており、その指定された１本のＭＩＸバスへ１２の入力ｃｈの各々から送られる非測定ポイントＳＭ１の音信号のレベルが、入力ｃｈ毎に、それぞれ対応するレベルメータに表示される。
【００２４】
さらに、ユーザがセンドメータ（SEND METER）を選択して、非測定ポイントＳＭ２である「POST SEND」を選択すると、１２の入力ｃｈから１つのＭＩＸバス２５に送られるセンドフェーダＳＦの後側の非測定ポイントＳＭ２の音信号のレベルが入力ｃｈメータに表示されるようになる。所望の１本のＭＩＸバスがユーザにより指定されており、その指定された１つのＭＩＸバスへ１２の入力ｃｈの各々から送られる非測定ポイントＳＭ２の音信号のレベルが、入力ｃｈ毎に、それぞれ対応するレベルメータに表示される。
【００２５】
ＣＰＵ１０が、レベルメータの表示の更新のために、周期的に（例えば、１ｍｓ乃至数ｍｓ毎）に実行する表示更新処理のフローチャートを図４に示す。
この表示更新処理が開始されると、ステップＳ１０にてＣＰＵ１０は信号処理部１６から、信号処理部１６でレベル検出された全ての入力ｃｈ（入力ｃｈ１〜入力ｃｈ２４）における測定ポイントＩＭ１（ｉ），ＩＭ４（ｉ）の検出レベル（デシベル値）を信号処理部１６から読み出して、ＩＭ１（ｉ），ＩＭ４（ｉ）としてワークメモリ領域に書き込む。なお、入力ｃｈにおいては、ＥＱ，Ｄｙｎａ４２におけるＥＱの後側に測定ポイントＩＭ３（不図示）を設け、ステップＳ１０においては測定ポイントＩＭ３（ｉ）の音信号の検出レベルも取り込み、入力ｃｈメータ以外のメータ表示（図示せず）に使用するようにしてもよい。次いで、ステップＳ１１にてＣＰＵ１０は信号処理部１６から、その他の測定ポイントの検出レベルを読み出して、ワークメモリ領域に書き込む。その他の測定ポイントは、例えば、出力ｃｈやモニタの信号経路上に用意される測定ポイントである。そして、ステップＳ１２にて、ＣＰＵ１０は、ユーザが指定したメータリングポイント（測定ポイント、または非測定ポイント）の音信号のレベル（デシベル値）を、ワークメモリ領域に取り込まれた各測定ポイントの検出レベルや、非測定ポイントまでの経路に設けられている上記した乗算手段のｃｈパラメータに基づいて各入力ｃｈ毎に求め、得られた各入力ｃｈのレベルを、表示器１４に表示されている入力ｃｈメータに反映する。ステップＳ１２のメータ表示更新処理の詳細は後述する。ステップＳ１２の表示更新処理が終了すると、ステップＳ１３にてＣＰＵ１０は、表示器１４やパネルに設けられたその他のメータ表示（出力ｃｈメータ等）を更新する。ステップＳ１３の処理が終了すると表示更新処理は終了し、入力ｃｈメータには、ユーザが選択したポイントにおける最新のレベルが表示されるようになる。
なお、図４の表示更新処理は、ユーザ操作に対するレスポンスの向上のため、各種レベルメータが表示器１４に表示されているか否かに関わらず定期的に実行され、表示されていないレベルメータに関しては、対応するメータ表示更新処理が省略される。例えば、入力ｃｈメータが表示されていない場合は、対応する表示更新処理（ステップＳ１２）を省略してよい。
【００２６】
図４に示す表示更新処理のステップＳ１２でＣＰＵ１０が実行する入力ｃｈメータ表示更新処理のフローチャートを図５に示す。
入力ｃｈメータ表示更新処理が開始されると、ステップＳ２０にてＣＰＵ１０は入力ｃｈメータに表示する対象として、ユーザによりセンドメータ（ＳＭ）が選択されているか否かを判断する。ここで、「MAIN METER」が選択されている場合は（ＳＭ＝０）、ステップＳ２１に進み、ＣＰＵ１０は、後述するＩＭ１〜ＩＭ５のポイント（ＩＭＰ）に応じた入力ｃｈメータの表示制御処理を行い、入力ｃｈメータ表示更新処理は終了する。また、「SEND METER」が選択されている場合は（ＳＭ＝１）、ステップＳ２２に分岐しＣＰＵ１０は、後述するＳＭ１あるいはＳＭ２のポイント（ＳＭＰ）に応じた入力ｃｈメータの表示制御処理を行い、入力ｃｈメータ表示更新処理は終了する。なお、詳細は省略するが、画面表示に関するパラメータは、ＲＡＭ１２のワークメモリ領域に保持されており、ユーザによる操作に応じてその値が変化する。たとえばパラメータＳＭは、ユーザによる選択操作に応じて、「MAIN METER」 を選択していればフラグＳＭの値として「０」を、「SEND METER」 を選択していれば同フラグの値として「１」がワークメモリ領域に保持されている。
【００２７】
図５に示す入力ｃｈメータ表示更新処理のステップＳ２１において、ユーザにより「PRE FADER」（測定ポイントＩＭ４）が指定されている場合に、ＣＰＵ１０が実行する入力ｃｈメータの表示制御処理のフローチャートを図６に示す。
このＩＭＰ（＝ＩＭ４）に応じた入力ｃｈメータの表示制御処理が開始されると、ステップＳ３０にて、ＣＰＵ１０は、変数ｉに最初に処理する入力ｃｈ番号を設定する。ここで、入力ｃｈの第１レイヤーが選択されている場合は変数ｉに「１」を設定し、第２レイヤーが選択されている場合は変数ｉに「１３」を設定する。次いで、ステップＳ３１にて、ＣＰＵ１０は、ワークメモリ領域に記憶されている測定ポイントＩＭ４（ｉ）のレベルＩＭ４（ｉ）を変数Ｖａｌに格納する。そして、ステップＳ３２にてＣＰＵ１０は、変数Ｖａｌに格納されているレベル（デシベル値）が、入力ｃｈメータにおける入力ｃｈ（ｉ）のレベルメータに反映されるように、当該レベルメータの表示を制御する。次いで、ステップＳ３３にてＣＰＵ１０は、入力ｃｈメータにおける全ての入力ｃｈのレベルメータを制御する更新処理が済んだか否かを判断する。ここで、第１レイヤーが選択されている場合は、変数ｉが「１２」未満である時に、また、第２レイヤーが選択されている場合は、変数ｉが「２４」未満である時に、それぞれ更新処理が済んでいないと判断（ＮＯ）し、ステップＳ３４に進む。ステップＳ３４にてＣＰＵ１０は、現在の変数ｉに「１」を加算した値を次に処理する入力ｃｈ番号として変数ｉに設定してステップＳ３１に戻し、ステップＳ３１〜ステップＳ３３の処理を繰り返し行う。ＣＰＵ１０がステップＳ３１〜ステップＳ３４の処理を繰り返し行った結果、ステップＳ３４にて変数ｉが「１２」（第１レイヤー選択時）あるいは変数ｉが「２４」（第２レイヤー選択時）に達すると、その後に行われるステップＳ３３の処理において、ＣＰＵ１０は、入力ｃｈメータにおける全ての入力ｃｈのメータの処理が済んだと判断（ＹＥＳ）し、ＩＭＰ（＝ＩＭ４）に応じた入力ｃｈメータの表示制御処理を終了する。この表示制御処理では、第１レイヤー選択時は、入力ｃｈ１〜入力ｃｈ１２の、第２レイヤー選択時は入力ｃｈ１３〜入力ｃｈ２４の「PRE FADER」（測定ポイントＩＭ４）における音信号のレベルを入力ｃｈメータに表示する制御が行われる。
【００２８】
また、図９に示す入力ｃｈメータにおいてユーザが測定ポイントＩＭ１である「PRE ATT」を選択した場合は、ＣＰＵ１０はＩＭＰ（＝ＩＭ１）に応じた入力ｃｈメータの表示制御処理処理を行う。この処理は、図６の処理の一部を変更した処理（ＩＭ４（ｉ）をＩＭ１（ｉ）に置き換えた処理）とすればよく、ＣＰＵ１０は、ユーザが選択した入力ｃｈのレイヤーに属する１２の入力ｃｈの「PRE ATT」（測定ポイントＩＭ１）における音信号のレベルを、入力ｃｈメータに表示する制御を行う。
【００２９】
図５に示す入力ｃｈメータ表示更新処理のステップＳ２１において、ユーザにより「POST ON」（非測定ポイントＩＭ５）が指定されている場合に、ＣＰＵ１０が実行する入力ｃｈメータの表示制御処理のフローチャートを図７に示す。
このＩＭＰ（＝ＩＭ５）に応じた入力ｃｈメータの表示制御処理が開始されると、ステップＳ４０にてＣＰＵ１０は、変数ｉに最初に処理する入力ｃｈの番号を設定する。ここで、第１レイヤーが選択されている場合は変数ｉに「１」と設定し、第２レイヤーが選択されている場合は変数ｉに「１３」を設定する。次いで、ステップＳ４１にて、ＣＰＵ１０は、ｃｈスイッチ（ＣＨＳＷ）４４のｃｈパラメータＯＮ（ｉ）をカレントメモリ領域から読み出して「０」か「１」かを判断する。ＯＮ（ｉ）が「１」であった場合（ＣＨＳＷ４４がオン）は、ステップＳ４２に進みＣＰＵ１０は、測定ポイントＩＭ４（ｉ）のレベルＩＭ４（ｉ）をワークメモリ領域から読み出すと共に、Ｆａｄｅｒ４３のｃｈパラメータＦＬ（ｉ）をカレントメモリ領域から読み出して、それらの和を変数Ｖａｌに格納する。この場合、ＩＭ４（ｉ）およびＦＬ（ｉ）はともにデシベル値であり、それらの和は、リニアスケールでの乗算に相当する。また、ステップＳ４１にてＯＮ（ｉ）が「０」であった場合（ＣＨＳＷ４４がオフ）は、ステップＳ４３に分岐してＣＰＵ１０は、変数Ｖａｌに「−∞」のレベル（デシベル値）を格納する。
【００３０】
ステップＳ４２あるいはステップＳ４３の処理が終了すると、ステップＳ４４にてＣＰＵ１０は、変数Ｖａｌに格納されているレベル（デシベル値）が、入力ｃｈメータにおけるｃｈ「ｉ」のレベルメータに反映されるように、当該レベルメータの表示を制御する。次いで、ステップＳ４５にてＣＰＵ１０は、入力ｃｈメータの１２の入力ｃｈに係る非測定ポイントＩＭ５のメータの更新処理が済んだか否かを判断する。ここで、変数ｉが「１２」未満（第１レイヤー選択時）あるいは「２４」未満（第２レイヤー選択時）のときに、更新処理が済んでいないと判断（ＮＯ）して、ステップＳ４６に進む。ステップＳ４６にてＣＰＵ１０は、現在の変数ｉに「１」を加算した値を変数ｉに設定してステップＳ４１に戻し、ステップＳ４１〜ステップＳ４５の処理を繰り返し行う。ＣＰＵ１０がステップＳ４１〜ステップＳ４６の処理を繰り返し行った結果、ステップＳ４６にて変数ｉが「１２」（第１レイヤー選択時）あるいは「２４」（第２レイヤー選択時）に達すると、その後に行われるステップＳ４５の処理において、ＣＰＵ１０は、１２の入力ｃｈにおけるメータの処理が済んだと判断（ＹＥＳ）し、ＩＭＰ（＝ＩＭ５）に応じた入力ｃｈメータの表示制御処理を終了する。これにより、ＣＰＵ１０が、測定ポイントＩＭ４（ｉ）のレベルにＦａｄｅｒ４３のゲイン値ＦＬ（ｉ）およびＳＨＳＷ４４のオンオフＯＮ（ｉ）を反映させる演算を行って算出した非測定ポイントＩＭ５（ｉ）の１２ｃｈ分のレベルを、入力ｃｈメータに表示する制御が行われる。
【００３１】
なお、ＩＭ４（ｉ）およびＦＬ（ｉ）がリニアスケールの数値とされている場合は、ＣＰＵ１０は、ステップＳ４２にて、加算の代わりに、ＩＭ４（ｉ）にＦＬ（ｉ）を乗算する演算を行うことにより非測定ポイントＩＭ５（ｉ）のレベルを算出して、変数Ｖａｌに格納するようにすればよい。
また、入力ｃｈメータにおいてユーザが非測定ポイントＩＭ２である「PRE EQ」を選択した場合は、ＣＰＵ１０はＩＭＰ（＝ＩＭ２）に応じた入力ｃｈメータの表示制御処理を行う。この処理は、図７の処理の一部を変更した処理（ステップＳ４１を常時「１」に分岐させ）、ＩＭ４（ｉ）をＩＭ１（ｉ）に置き換えると共に、ＦＬ（ｉ）をＡｔｔ４１の減衰値であるｃｈパラメータＡＬ（ｉ）に置き換えた処理）とすればよい。これにより、入力ｃｈ１〜１２（第１レイヤー選択時）あるいは入力ｃｈ１３〜２４（第２レイヤー選択時）における「PRE EQ」（非測定ポイントＩＭ２）の音信号のレベルを、ＣＰＵ１０が、測定ポイントＩＭ１（ｉ）のレベルＩＭ１（ｉ）にＡｔｔ４１の減衰値ＡＬ（ｉ）を反映させる演算を行って算出し、算出した「PRE EQ」のレベルを１２ｃｈ分、入力ｃｈメータに表示する制御を行う。
【００３２】
図５に示す入力ｃｈメータ表示更新処理のステップＳ２２において、ＣＰＵ１０が実行するＳＭＰ（＝ＳＭ１，ＳＭ２）に応じた入力ｃｈメータの表示制御処理のフローチャートを図８に示す。この表示制御処理は、入力ｃｈメータにおいてユーザがセンドメータ（SEND METER）を選択した場合の表示制御処理である。
ＳＭＰ（＝ＳＭ１，ＳＭ２）に応じた入力ｃｈメータの表示制御処理が開始されると、ステップＳ５０にて、ＣＰＵ１０は、変数ｊにユーザが指定した対象とするＭＩＸバス２５のバス番号を設定すると共に、変数ｉに最初に処理する入力ｃｈ番号を設定する。ここで、入力ｃｈの第１レイヤーが選択されている場合は変数ｉに「１」を設定し、第２レイヤーが選択されている場合は変数ｉに「１３」を設定する。次いで、ステップＳ５１にてＣＰＵ１０は、ｊ番のＭＩＸバスへのセンドスイッチ（ＳＳＷｊ）のｃｈパラメータＳＯＮ（ｉ，ｊ）をカレントメモリ領域から読み出して「０」か「１」かを判断する。「１」の場合（ＳＳＷｊがオン）は、ステップＳ５２に進む。また、「０」の場合は、ＳＳＷｊがオフされていることから、ステップＳ５３に分岐してＣＰＵ１０は、変数Ｖａｌに「−∞」のレベル（デシベル値）を格納し、続いてステップＳ６０にて、その格納されたレベルが、入力ｃｈメータにおけるｃｈ「ｉ」のレベルメータに反映されるように、当該レベルメータ表示を制御する。
【００３３】
ステップＳ５２にて、ＣＰＵ１０は、ｊ番のＭＩＸバスへのセンドセレクタ（ＳＳＥＬｊ）のｃｈパラメータＳＳ（ｉ，ｊ）をカレントメモリ領域から読み出して「０」，「１」，「２」のいずれであるかを判断する。ステップＳ５２でＳＳ（ｉ，ｊ）が「０」であった場合は、ＳＳＥＬｊにて非測定ポイントＩＭ２（ｉ）の音信号が選択されていることから、ステップＳ５４に進み、ＣＰＵ１０は、ワークメモリ領域から読み出した測定ポイントＩＭ１（ｉ）のレベルＩＭ１（ｉ）に、カレントメモリ領域から読み出したＡｔｔ４１のｃｈパラメータＡＬ（ｉ）を加算して非測定ポイントＩＭ２（ｉ）のレベルを算出し、算出したＩＭ２（ｉ）のレベルを変数Ｖａｌに格納する。また、ステップＳ５２にてＳＳ（ｉ，ｊ）が「１」であった場合は、測定ポイントＩＭ４（ｉ）の音信号が選択されていることから、ステップＳ５５に進み、ＣＰＵ１０は、測定ポイントＩＭ４（ｉ）のレベルをワークメモリ領域から読み出して変数Ｖａｌに格納する。さらに、ステップＳ５２にてＳＳ（ｉ，ｊ）が「２」であった場合は、非測定ポイントＩＭ５（ｉ）の音信号が選択されていることから、ステップＳ５６に進み、ＣＰＵ１０は、ｃｈスイッチ（ＣＨＳＷ）４４のｃｈパラメータＯＮ（ｉ）をカレントメモリ領域から読み出して「０」か「１」かを判断する。「１」であった場合（ＣＨＳＷ４４がオン）は、ステップＳ５７に進みＣＰＵ１０は、測定ポイントＩＭ４（ｉ）のレベルをワークメモリ領域から読み出すと共に、Ｆａｄｅｒ４３のｃｈパラメータＦＬ（ｉ）をカレントメモリ領域から読み出して、それらの和を変数Ｖａｌに格納する。また、ステップＳ５６にてＯＮ（ｉ）が「０」であった場合は、ＣＨＳＷ４４がオフとされていることから、ステップＳ５８に分岐してＣＰＵ１０は、変数Ｖａｌに「−∞」のレベルを格納する。
【００３４】
ステップＳ５４，Ｓ５５，Ｓ５７，Ｓ５８のいずれかの処理が終了すると、ステップＳ５９に進みＣＰＵ１０は、ユーザにより「PRE SEND」（非測定ポイントＳＭ１）と「POST SEND」（非測定ポイントＳＭ２）の何れが指定されているかを判断する。「PRE SEND」が選択されていた場合は、ステップＳ６０に進み、ＣＰＵ１０は、その時点で変数Ｖａｌに格納されている、ＳＳＷｊがオンの場合の非測定ポイントＳＭ１（ｉ，ｊ）のレベル（デシベル値）が、入力ｃｈメータにおけるｃｈ「ｉ」のレベルメータに反映されるように、当該レベルメータの表示を制御する。「POST SEND」が指定されていた場合は、ステップＳ６１に分岐し、ＣＰＵ１０は、変数Ｖａｌに格納されているレベルに、カレントメモリ領域から読み出したセンドフェーダ（ＳＦ）ｉのｃｈパラメータＳＬ（ｉ，ｊ）を加算して、加算したレベルを変数Ｖａｌに格納する。次いで、ステップＳ６０に進み、ＣＰＵ１０は、この時点で変数Ｖａｌに格納されている、ＳＳＷｊがオンの場合の非測定ポイントＳＭ２（ｉ，ｊ）のレベル（デシベル値）が、入力ｃｈメータにおけるｃｈ「ｉ」のレベルメータに反映されるように、当該レベルメータの表示を制御する。なお、ステップＳ６１では、デシベルスケールで「−∞」に何らかのゲインを加算しても、結果は「−∞」のままである。従って、ステップＳ５８の処理が終了後は、そのままステップＳ６０に進むようにしてもよい。
【００３５】
ステップＳ６０の処理が終了すると、ステップＳ６２に進みＣＰＵ１０は、１２の入力ｃｈに係る入力ｃｈメータの更新処理が済んだか否かを判断する。ここで、変数ｉが「１２」未満（第１レイヤー選択時）あるいは「２４」未満（第２レイヤー選択時）のときに、更新処理が済んでいないと判断（ＮＯ）して、ステップＳ６３に進む。ステップＳ６３にてＣＰＵ１０は、現在の変数ｉに「１」を加算した値を次のメータの入力ｃｈ番号として変数ｉに設定してステップＳ５１に戻し、ステップＳ５１〜ステップＳ６２の処理を繰り返し行う。ＣＰＵ１０がステップＳ５１〜ステップＳ６３の処理を繰り返し行った結果、ステップＳ６３にて変数ｉが「１２」（第１レイヤー選択時）あるいは「２４」（第２レイヤー選択時）に達すると、その後に行われるステップＳ６２の処理において、ＣＰＵ１０は、１２の入力ｃｈに係る入力ｃｈメータの処理が済んだと判断（ＹＥＳ）し、ＳＭＰ（＝ＳＭ１，ＳＭ２）に応じた入力ｃｈメータの表示制御処理を終了する。これにより、ＣＰＵ１０が、測定ポイントＩＭ１（ｉ）あるいはＩＭ４（ｉ）のレベルに、ｃｈパラメータＡＬ（ｉ），ＦＬ（ｉ），ＯＮ（ｉ），ＳＳ（ｉ，ｊ），ＳＯＮ（ｉ，ｊ），ＳＬ（ｉ，ｊ）を、ユーザが指定した非測定ポイントに応じて、選択的に反映させる演算を行い、非測定ポイントＳＭ１（ｉ，ｊ）あるいはＳＭ２（ｉ，ｊ）の１２ｃｈ分の音信号のレベルを、入力ｃｈメータに表示する制御が行われる。
【００３６】
ＩＭ１（ｉ）およびＡＬ（ｉ）がリニアスケールの数値とされている場合は、ステップＳ５４にて、ＣＰＵ１０は、ＩＭ１（ｉ）にＡＬ（ｉ）を乗算する演算を行ったレベルを、変数Ｖａｌに格納する。また、ＩＭ４（ｉ）およびＦＬ（ｉ）がリニアスケールの数値とされている場合は、ステップＳ５７にてＣＰＵ１０は、ＩＭ４（ｉ）にＦＬ（ｉ）を乗算する演算を行ったレベルを、変数Ｖａｌに格納する。さらに、変数ＶａｌのレベルおよびＳＬ（ｉ，ｊ）がリニアスケールの数値とされている場合は、ステップＳ６１にてＣＰＵ１０は、変数ＶａｌのレベルにＳＬ（ｉ，ｊ）を乗算する演算を行ったレベルを、変数Ｖａｌに格納する。
【産業上の利用可能性】
【００３７】
以上説明した本発明は、複数の出力ｃｈのレベルメータを備えた出力ｃｈメータ表示装置に適用することもできる。図２に示すＭＩＸ出力ｃｈ部２７における各出力ｃｈには、イコライザ、コンプレッサ、フェーダ等が備えられており、これらの出力ｃｈにおいて、対応するＭＩＸバスからの音信号に対し、周波数バランス調整やレベル調整およびレベル制御等の信号処理が施され，処理後の音信号が出力パッチに供給される。出力ｃｈメータの各出力ｃｈのレベルメータに、ＭＩＸバス２５に接続されている出力ｃｈの入力のポイント、イコライザの後側のポイント、フェーダの前側と後側のポイントなどのレベルを表示することができる。この場合、出力ｃｈにおける入力のポイントおよびイコライザの後側のポイントは、信号処理部１６がレベル検出することによりレベルを実測する測定ポイントとされ、フェーダの前側と後側のポイントはＣＰＵ１０が上述した演算を行うことによりレベルを算出する非測定ポイントとされる。
【００３８】
さらに、その出力ｃｈメータに、１つの入力ｃｈから複数のＭＩＸバスへ送出する音信号のレベルを表示するようにしてもよい。その場合、ユーザが１つの入力ｃｈを指定して、指定された１つの入力ｃｈから複数の各ＭＩＸバスへ送出される音信号の、非測定ポイントＳＭ１ないしＳＭ２における音信号のレベルを、図８に関連して説明した非測定ポイントＳＭ１ないしＳＭ２における音信号のレベルの算出方法と同様の方法を用いて算出し、算出された各ＭＩＸバスへ送出される音信号のレベルを、そのＭＩＸバスに対応するＭＩＸ出力ｃｈのレベルメータに表示するようにするとよい。
以上の説明では、本発明にかかるレベルメータ表示装置は、デジタルミキサに備えられるものとしたが、これに限ることはなく、経路上に乗算器あるいは乗算器と見なせる機能ブロックが設けられて、経路上のポイントのレベルを表示メータに表示する機能を備える機器に適用することができる。
【００３９】
また、以上の説明において、レベルメータ表示装置２はデジタルミキサ１に備えられるものとして説明したが、レベルメータ表示装置２をデジタルミキサ１の外部に構成されたリモートコントローラ等として実現してもよい。この場合、レベルメータ表示装置２とデジタルミキサ１とは、例えばＵＳＢ等の通信ネットワークを介して接続されており、デジタルミキサ１より随時測定ポイントのレベルを取得し、別途リモートコントローラにて保持されているｃｈパラメータの値を用いて、非測定ポイントのレベルを算出する構成であってもよい。リモートコントローラとしてはパーソナルコンピュータとして利用可能な種々の形態の端末装置（所謂タブレットＰＣやスマートフォンを含む）が適用でき、通信ネットワークは有線、無線を問わず種々の通信インフェースを利用するようにしてもよい。
【００４０】
また、以上の説明では信号処理経路において上流側（入力側）の測定ポイントとｃｈパラメータとに基づいて、下流側（出力側）の非測定ポイントのレベルを算出したが、下流側の測定ポイントにて検出したレベル値とｃｈパラメータとに基づいて上流側の非測定ポイントのレベルを算出してもよい。
ただし、ＥＱやＤｙｎａ等の非線形処理を行うものを挟む場合は、以上の説明と同様、その入力側は測定ポイントとする必要がある。
【符号の説明】
【００４１】
１  デジタルミキサ、２  レベルメータ表示装置、１０  ＣＰＵ、１１  ＲＯＭ、１２  ＲＡＭ、１３  操作子、１４  表示器、１５  波形入力部、１６  信号処理部、１７  波形出力部、１８  バスライン、２０  Ａ入力、２１  Ｄ入力、２２  入力パッチ、２３  入力ｃｈ部、２４  ＳＴバス、２５  ＭＩＸバス、２６  ＳＴ出力ｃｈ部、２７  ＭＩＸ出力ｃｈ部、２８  出力パッチ、２９  Ａ出力、３０  Ｄ出力、４１  Ａｔｔ、４２  ＥＱ，Ｄｙｎａ、４３  Ｆａｄｅｒ、４４  ＣＨＳＷ、４５  ＰＡＮ、ＩＭ１，ＩＭ４  測定ポイント、ＩＭ２，ＩＭ５，ＳＭ１，ＳＭ２  非測定ポイント
【図１】
2016072656.tif 000003
【図２】
2016072656.tif 000004
【図３】
2016072656.tif 000005
【図４】
2016072656.tif 000006
【図５】
2016072656.tif 000007
【図６】
2016072656.tif 000008
【図７】
2016072656.tif 000009
【図８】
2016072656.tif 000010
【図９】
2016072656.tif 000011